(57)【要約】【課題】  パチンコ遊技機の裏面側における目視確認の作業性を損なうことなく有効なノイズ防止を可能にする。  【解決手段】  遊技機本体２と、遊技機本体２の裏面側を覆う複数の遮蔽部材２２とを備え、遮蔽部材２２は、電磁シールド材料からなり、暖簾状に垂下するように遊技機本体２に支持されていることを特徴とするパチンコ遊技機１。  【選択図】  図２
2007054089.tif 000002
【特許請求の範囲】
【請求項１】
電磁シールド材料からなる複数の遮蔽部材を、パチンコ遊技機の裏面側を覆うように暖簾状に垂下させることを特徴とするパチンコ遊技機のノイズ防止方法。
【請求項２】
遊技機本体と、前記遊技機本体の裏面側を覆う複数の遮蔽部材とを備え、
前記遮蔽部材は、電磁シールド材料からなり、暖簾状に垂下するように前記遊技機本体に支持されていることを特徴とするパチンコ遊技機。
【請求項３】
前記遮蔽部材は、金属製のチェーンからなる請求項２に記載のパチンコ遊技機。
【請求項４】
前記遊技機本体に取り付けられ、前記遮蔽部材の下部を囲繞する規制枠体を備える請求項２又は３に記載のパチンコ遊技機。  
【発明の詳細な説明】
【技術分野】
【０００１】
本発明は、パチンコ遊技機のノイズ防止方法及びパチンコ遊技機に関する。
【背景技術】
【０００２】
パチンコ遊技機は、遊技機本体の裏面側に種々の電子機器を備えることから、ホール設備や他の遊技機等から発生する電磁ノイズによる誤動作を防止するための対策が、従来から検討されている。例えば、特許文献１には、導電性のメッシュシートから構成されたノイズ除去シートが開示されており、このノイズ除去シートを、パチンコ遊技機の裏面側に配置された制御回路などを覆うように取り付けることが記載されている。
【特許文献１】特開２００２−２１０１８０号公報
【発明の開示】
【発明が解決しようとする課題】
【０００３】
一般に、パチンコ遊技機の裏面側は、ホール設置後に監視や点検などの作業が必要になるため、上記特許文献１の発明は、ノイズ除去シートをメッシュ状に構成することにより、ノイズ除去シートを介して遊技機の内部を視認できるように構成している。
【０００４】
ところが、この構成によれば、監視や点検を行う際に、メッシュを構成する繊維がどうしても視界を遮ることになり、細部の確認に手間取るなどして作業に時間がかかるという問題があった。特許文献１には、ノイズ除去シートの一部にチャック等の開閉手段を設けることも記載されているが、多数併設されたパチンコ遊技機を順次確認していく場合において、遊技機毎に上記のような開閉手段を開閉するのは効率的でない。
【０００５】
そこで、本発明は、パチンコ遊技機の裏面側における目視確認の作業性を損なうことなく有効なノイズ防止を可能にした、パチンコ遊技機のノイズ防止方法及びパチンコ遊技機の提供を目的とする。
【課題を解決するための手段】
【０００６】
本発明の前記目的は、電磁シールド材料からなる複数の遮蔽部材を、パチンコ遊技機の裏面側を覆うように暖簾状に垂下させることを特徴とするパチンコ遊技機のノイズ防止方法により達成される。
【０００７】
また、本発明の前記目的は、遊技機本体と、前記遊技機本体の裏面側を覆う複数の遮蔽部材とを備え、前記遮蔽部材は、電磁シールド材料からなり、暖簾状に垂下するように前記遊技機本体に支持されていることを特徴とするパチンコ遊技機により達成される。
【０００８】
このパチンコ遊技機において、前記遮蔽部材は、金属製のチェーンからなることが好ましい。
【０００９】
また、このパチンコ遊技機は、前記遊技機本体に取り付けられ前記遮蔽部材の下部を囲繞する規制枠体を備えることができる。
【発明の効果】
【００１０】
本発明によれば、パチンコ遊技機の裏面側における目視確認の作業性を損なうことなく有効なノイズ防止を可能にした、パチンコ遊技機のノイズ防止方法及びパチンコ遊技機を提供することができる。
【発明を実施するための最良の形態】
【００１１】
以下、本発明の実態の形態について添付図面を参照して説明する。図１及び図２は、本発明の一実施形態に係るパチンコ遊技機の上面図及び裏面図である。
【００１２】
図１及び図２に示すように、パチンコ遊技機１は、中枠１１の表面側に遊技盤（図示せず）が取り付けられた遊技機本体２が、ヒンジを介して外枠６に回動自在に取り付けられている。本実施形態のパチンコ遊技機１は、遊技機本体２の裏面側上部に、コ字状に形成された支持枠体２１が設けられ、この支持枠体２１に、電磁ノイズを遮断する複数の遮蔽部材２２が支持されて構成されている。
【００１３】
図３は、支持枠体２１及び遮蔽部材２２を備える前のパチンコ遊技機の裏面図である。図３に示すように、遊技機本体２の裏面には、遊技者に払い出す賞球を備蓄する賞球タンク３１が上部に設けられており、賞球タンク３１に貯留された球は、タンクレール３２を介して払い出し装置３３に供給され、球流路３４を介して表面側の遊技盤１２に送られる。
【００１４】
また、遊技機本体２の裏面におけるタンクレール３２の下方には、それぞれケーシングに収容された主基板３５、電源基板３６及び払い出し基板３７を備えている。主基板３５は、電源基板３６からの電源投入により払い出し基板３７に命令を与える。払い出し基板３７は、主基板３５からの命令に基づき払い出し装置３３の作動を制御する。
【００１５】
本実施形態のパチンコ遊技機１においては、図２に示すように、金属製の支持枠体２１がタンクレール３２を囲繞する位置で水平に延びるように取り付けられており、遮蔽部材２２は、支持枠体２１から暖簾状に垂下するように支持されている。こうして、各種基板３５，３６，３７等の側面側及び裏面側が、複数の遮蔽部材２２によって覆われている。
【００１６】
遮蔽部材２２は、アルミニウム、鉄、銅などの導電性を有する金属製のリングチェーンであり、各リングが平面状に連結されている。リングの形状や大きさは特に限定されないが、中空部が大きくなりすぎると電磁ノイズの遮断効果が十分でなくなることから、例えば、円形リングの場合には内径を３〜１０ｍｍ程度とするのが好ましい。
【００１７】
遮蔽部材２２は、上端が金属製の支持枠体２１に固定された状態で、下端が各種基板３５，３６，３７よりも下方まで延びており、支持枠体２１を介してアース接続されている。各遮蔽部材２２は、隣接するもの同士が接触する状態で、支持枠体２１の全体に亘って配置されている。
【００１８】
以上のように構成されたパチンコ遊技機１によれば、遊技機本体２の裏面側が複数の遮蔽部材２２により覆われているので、外部からの電磁ノイズの侵入を遮蔽部材２２によって防止することができ、各種基板３５，３６，３７の誤動作を有効に防止することができる。
【００１９】
また、裏面側の監視や点検を行う場合において、特に確認が必要な部分の目視を、図４に示すように、手などで遮蔽部材２２を掻き分けることにより容易に行うことができると共に、確認後は掻き分けた手を離すだけで、遮蔽部材２２をもとの垂下状態に戻すことができる。したがって、目視確認作業を容易且つ迅速に行うことができる。
【００２０】
本実施形態においては、遮蔽部材２２が金属製のチェーンから構成されているので、遮蔽部材２２を大きく掻き分けて十分な視界を確保することができると共に、確認後は遮蔽部材２２を自重によりもとの状態に確実に戻すことができる。また、遊技機本体２の裏面側が、隣接する遮蔽部材２２同士の隙間以外に、遮蔽部材２２のチェーンを構成するリングの中空部を介して露出するため、露出部が多くなることによって、各種基板３５，３６，３７等から発生する熱の放熱性を良好にすることができると共に、確認作業の内容によっては遮蔽部材２２を掻き分ける作業も不要になるという利点を有する。更に、金属製のチェーンからなる遮蔽部材２２を、支持枠体２１を介して遊技機本体２に取り付けることにより、外枠６に対する遊技機本体２の回動動作時に遮蔽部材２２同士の接触音を生じさせることができるので、例えば、遊技機本体２の裏面側における基板の不正な改変などを未然に防止することができる。
【００２１】
以上、本発明の一実施形態について詳述したが、本発明の具体的な態様は上記実施形態に限定されない。例えば、図５に示すように、支持枠体２１と同様にコ字状に形成された規制枠体４１を遊技機本体２の裏面側に取り付けて、遮蔽部材２２の下部を規制枠体４１によって囲繞するように構成してもよい。この構成によれば、外枠６に対して遊技機本体２を勢いよく開閉させた場合でも、規制枠体４１が遮蔽部材２２の下部と接触して遮蔽部材２２の揺動を規制することができるので、遮蔽部材２２が外枠６と遊技機本体２との間に挟まったり、遊技機本体２と衝突して損傷するのを防止することができる。尚、図５において、図２と同様の構成部分には同一の符号を付している。
【００２２】
遮蔽部材２２は、電磁波に対してシールド性を有する電磁シールド材料からなるものであれば本実施形態の構成に限定されず、例えば、金属製の棒材を波状や螺旋状に湾曲したもの、帯状や線状の樹脂基材に導電性薄膜や導電性粉末を担持させたもの、導電性繊維を用いてブラシ状に形成したもの等を、遮蔽部材２２として使用することができる。また、本発明における「暖簾状に垂下」とは、上端部が固定された状態で掻き分け可能に吊り下げられていればよく、下端が自由端とされた構成以外に、弾性伸縮体からなる遮蔽部材２２の下端部が固定された構成であってもよい。
【００２３】
また、本実施形態においては、遮蔽部材２２が支持枠体２１を介して遊技機本体２に支持されているが、図６に示すように、外枠６の裏面側上部に、支持枠体６１などを介して遮蔽部材２２が取り付けられた構成であってもよく、例えば、遊技機本体２の裏面側の目視確認作業を、遊技機本体２を回動させずに外枠６の裏面側で行うことができる場合において、有効である。
【００２４】
また、本実施形態においては、遊技機本体２の裏面側の略全体を遮蔽部材２２により覆っているが、裏面側においてノイズ対策が必要な一部のみを遮蔽部材２２で覆うように構成してもよい。
【図面の簡単な説明】
【００２５】
【図１】本発明の一実施形態に係るパチンコ遊技機の上面図である。
【図２】図１に示すパチンコ遊技機の裏面図である。
【図３】図２に示すパチンコ遊技機において支持枠体及び遮蔽部材を備える前の状態を示す裏面図である。
【図４】図１に示すパチンコ遊技機において、遮蔽部材を掻き分けた状態を示す裏面図である。
【図５】本発明の他の実施形態に係るパチンコ遊技機の裏面図である。
【図６】本発明の更に他の実施形態に係るパチンコ遊技機の裏面図である。
【符号の説明】
【００２６】
１  パチンコ遊技機
２  遊技機本体
６  外枠
２１  支持枠体
２２  遮蔽部材
３５  主基板
３６  電源基板
３７  払い出し基板
４１  規制枠体
【図１】
2007054089.tif 000003
【図２】
2007054089.tif 000004
【図３】
2007054089.tif 000005
【図４】
2007054089.tif 000006
【図５】
2007054089.tif 000007
【図６】
2007054089.tif 000008